(57)【特許請求の範囲】
【請求項１】
軸筒に対して摺動ケースを摺動可能に配設し、複数の筆記体を、該筆記体の後部に挿着して連接した摺動体を摺動ケースに形成した摺動溝に位置させ、摺動溝に対して摺動可能にかつ弾発部材により後方に付勢して配設し、摺動体を軸筒の先端開口部方向に前進させて、摺動体を軸心に向かった方向への押圧により摺動体に形成した係止部を摺動ケースに形成した被係止部に係止することで筆記体の筆記先端部を軸筒先端開口部から突出した状態を維持し、他の摺動体を軸筒の先端開口部方向に前進させることにより、他の摺動体に形成した解除用突起を前記摺動体に衝接して、前記摺動体の係止部と摺動ケースの被係止部との係止を解除し、突出した筆記体の筆記先端部を軸筒の先端開口部より没入させる繰出機構を備えた、摺動ケースが軸筒の外方に露出又は軸筒に被覆されてなる複合筆記具において、前記軸筒の外方に露出した摺動ケースの摺動溝の長手方向の側壁の縁部に、又は前記摺動ケースを被覆した軸筒の外周面に設けられた摺動ケースの摺動溝に対向した窓部の長手方向の側壁の縁部に、摺動溝に没入する脚部を有したスライド駒を、脚部に形成した係合溝に前記縁部を係合して摺動可能に配設するとともに、脚部を摺動体に設けた孔部に遊嵌して、スライド駒の摺動に連動して摺動体及び筆記体を摺動可能にし、スライド駒を前進させることで、スライド駒を軸心に向かった方向に変位することなく摺動体を軸心に向かった方向に押圧可能としたことを特徴とする複合筆記具。
【請求項２】
前記スライド駒の脚部を、外側の幅が摺動溝又は窓部の幅より広幅とした内側に撓み可能に対向して設けた突設片で形成し、突設片を内側に撓ますことにより摺動溝又は窓部に挿入し、脚部の係合溝に前記摺動溝又は窓部の長手方向の側壁の縁部を係合させることで、スライド駒が軸心に向かった方向に変位しないようにした、請求項１に記載の複合筆記具。
【請求項３】
前記スライド駒の脚部の軸筒の先端開口部側に位置する端面を、軸筒の先端開口部側に向かうにしたがって脚部の突出長さが漸次短くなる傾斜面とし、脚部が遊嵌する摺動体の孔部の前記傾斜面に対向した壁面を前記傾斜面の傾斜方向と同様の被傾斜面として、スライド駒を前進させることで、摺動体を軸心に向かった方向に押圧可能とした、請求項１又は２に記載の複合筆記具。
【請求項４】
前記摺動溝又は窓部を、摺動ケース又は軸筒の外周面を平面に形成して設けた、請求項１、２又は３に記載の複合筆記具。
【発明の詳細な説明】
【０００１】
【発明の属する技術分野】
本発明は、軸筒に対して摺動ケースを摺動可能に配設し、複数の筆記体を、該筆記体の後部に挿着して連接した摺動体を摺動ケースに形成した摺動溝に位置し、摺動溝に対して摺動可能に配設し、摺動体を軸筒の先端開口部方向に前進させることにより筆記体の筆記先端部を軸筒先端開口部から突出し、他の摺動体を軸筒の先端開口部方向に前進させることにより突出した筆記体の筆記先端部を軸筒の先端開口部より没入させる繰出機構を備えた複合筆記具に関する。
【０００２】
【従来技術】
従来より、軸筒に対して摺動ケースを摺動可能に配設し、複数の筆記体を、該筆記体の後部に挿着して連接した摺動体を摺動ケースに形成した摺動溝に位置させ、摺動溝に対して摺動可能にかつ弾発部材により後方に付勢して配設し、摺動体を軸筒の先端開口部方向に前進させて、摺動体を軸心に向かった方向への押圧により摺動体に形成した係止部を摺動ケースに形成した被係止部に係止することで筆記体の筆記先端部を軸筒先端開口部から突出した状態を維持し、他の摺動体を軸筒の先端開口部方向に前進させることにより、他の摺動体に形成した解除用突起を前記摺動体に衝接して、前記摺動体の係止部と摺動ケースの被係止部との係止を解除し、突出した筆記体の筆記先端部を軸筒の先端開口部より没入させる繰出機構を備えた複合筆記具は知られている。その動作について、図８及び図９を用いて詳述するが、繰出機構における出没動作は軸筒内に収納された筆記体の種類や数に左右されないが、便宜上、複合筆記具は、シャープペンシルとボールペンの筆記体を挿入したものとして説明する。
【０００３】
複合筆記具５１は、軸筒５２内にシャープペンシルの筆記体５３ａとボールペンの筆記体５３ｂを配設したもので、シャープペンシルの筆記体５３ａの摺動体５４ａの隆起部５５ａを軸筒５２の先端開口部５２ａ方向に前進させることにより、摺動体５４ａの後端部に形成した係止部５６ａを摺動ケース５７に形成した被係止部５８に係止して、筆記体５３ａの筆記先端部６２ａを軸筒５２の先端開口部５２ａから突出させた状態（図９に示す状態）を維持することができる。ボールペンの筆記体５３ｂの摺動体５４ｂの隆起部５５ｂを軸筒５２の先端開口部５２ａ方向に前進すると、被係止部５８に係止していたシャープペンシルの摺動体５４ａの係止部５６ａにボールペンの摺動体５４ｂの第１解除突起５９ｂが摺動体５４ａの係止部５６ａの近傍に設けた第２解除突起６０ａに衝接し、シャープペンシルの摺動体５４ａを外側方向に押すので係止部５６ａの被係止部５８への係止が解除され、シャープペンシルの筆記体５３ａは配設されたコイルスプリング６１による後方への付勢力により後方へ押圧され、筆記先端部６２ａは軸筒５２の筆記先端開口部５２ａ内に没入する。さらにボールペンの摺動体５４ｂを前進させると、係止部５６ｂが被係止部５８に係止してボールペンの筆記体の５３ｂの筆記先端部６２ｂが軸筒５２の先端開口部５２ａから突出し、その状態を維持する。
【０００４】
尚、図においては、軸筒５２は前筒６３と後筒６４とを接続筒６５を介して螺着した構造で、摺動ケース５７は後筒６４内に配設してある。後筒６４の後端に配設したノック体６６をノックすることにより、摺動ケース５７が前進し、シャープペンシルにおける筆記体５３ａの筆記先端部６２ａからの鉛芯の繰り出しを可能としてある。図示していないが、摺動ケースを軸筒の後端に直に押圧可能に配設した構造の複合筆記具でも、基本的な動作は同じである。符号７０は、消しゴムである。
【０００５】
【発明が解決しようとする課題】
こうした複合筆記具においては、筆記体の筆記先端部を軸筒の先端開口部から突出させてその状態を維持するために、摺動体の後端部に形成した係止部を摺動ケースに形成した被係止部に係止させるが、複数の摺動体の係止部が被係止部に係止可能とするために、被係止部が摺動ケースの軸心近傍に設けてある。そのために、係止部が被係止部に係止するには摺動体が摺動ケースの軸心方向に変位しなければならなく、摺動体を前進させながら軸心方向に押圧する必要があり、そのために隆起部は好むと好まざるにかかわらず摺動溝から外方に大きく突出した形状にしなければならない。
【０００６】
しかし、本発明者にとって、こうした隆起部が摺動溝から外方に大きく突出した複合筆記具の外観形状、特に軸筒の先端開口部又は反対側の隆起部が位置する頭部側から見た外観形状に対して納得できないものがあった。また、デザイン上、隆起部周り部分の外観形状に注意が惹かれるために、どうしても全体形状のイメージが似たようなデザインの印象を与えてしまうと言う問題もある。そこで、本発明者は、摺動体に該摺動体を前進させるための隆起部を設けることなく容易に摺動体を前進させることができないかを種々検討した。その結果、摺動体に従来のような隆起部を設けることなく、従来と同様に摺動体を前進させる手段を考え、本発明に至った。
【０００７】
【課題を解決するための手段】
本発明は、軸筒に対して摺動ケースを摺動可能に配設し、複数の筆記体を、該筆記体の後部に挿着して連接した摺動体を摺動ケースに形成した摺動溝に位置させ、摺動溝に対して摺動可能にかつ弾発部材により後方に付勢して配設し、摺動体を軸筒の先端開口部方向に前進させて、摺動体を軸心に向かった方向への押圧により摺動体に形成した係止部を摺動ケースに形成した被係止部に係止することで筆記体の筆記先端部を軸筒先端開口部から突出した状態を維持し、他の摺動体を軸筒の先端開口部方向に前進させることにより、他の摺動体に形成した解除用突起を前記摺動体に衝接して、前記摺動体の係止部と摺動ケースの被係止部との係止を解除し、突出した筆記体の筆記先端部を軸筒の先端開口部より没入させる繰出機構を備えた、摺動ケースが軸筒の外方に露出又は軸筒に被覆されてなる複合筆記具において、前記軸筒の外方に露出した摺動ケースの摺動溝の長手方向の側壁の縁部に、又は前記摺動ケースを被覆した軸筒の外周面に設けられた摺動ケースの摺動溝に対向した窓部の長手方向の側壁の縁部に、摺動溝に没入する脚部を有したスライド駒を、脚部に形成した係合溝に前記縁部を係合して摺動可能に配設するとともに、脚部を摺動体に設けた孔部に遊嵌して、スライド駒の摺動に連動して摺動体及び筆記体を摺動可能にし、スライド駒を前進させることで、スライド駒を軸心に向かった方向に変位することなく摺動体を軸心に向かった方向に押圧可能としたものである。
【０００８】
さらには、前記スライド駒の脚部を、外側の幅が摺動溝又は窓部の幅より広幅とした内側に撓み可能に対向して設けた突設片で形成し、突設片を内側に撓ますことにより溝部又は窓部に挿入し、脚部の係合溝に前記溝部又は窓部の長手方向の側壁の縁部を係合させることで、スライド駒が軸心に向かった方向に変位しないようにしたものである。こうすることにより、脚部を摺動ケース又は軸筒の外側から摺動ケースの摺動溝に挿入して、脚部に形成した係合溝に、摺動ケースの摺動溝の長手方向の側壁の縁部を、又は前記摺動ケースを被覆した軸筒の外周面に設けられた摺動ケースの摺動溝に対向した窓部の長手方向の側壁の縁部を容易に係合させて、スライド駒を前記摺動ケースの摺動溝又は軸筒の窓部に配設することができ、スライド駒は軸心に向かった方向に変位しない。
【０００９】
またさらには、前記スライド駒の脚部の軸筒の先端開口部側に位置する端面を、軸筒の先端開口部側に向かうにしたがって脚部の突出長さが漸次短くなる傾斜面とし、脚部が遊嵌する摺動体の孔部の前記傾斜面に対向した壁面を、前記傾斜面の傾斜方向と同様の被傾斜面として、スライド駒を前進させることで、摺動体を軸心に向かった方向に押圧可能としたものである。こうすることにより、スライド駒を前進させると摺動体は軸心に向かった方向に押圧され、摺動体の係止部が摺動ケースの被係止部に確実に係止することができる。また、係止を解除するには、摺動体を軸心から離間する方向に押圧して軸心から離間する方向に変位させる必要があるが、摺動体は孔部の被傾斜面が脚部の傾斜面に当接して摺動体を軸心から離間する方向に確実に変位させるので、確実に係止を解除することができる。
【００１０】
またさらには、前記摺動溝又は窓部を、摺動ケース又は軸筒の外周面を平面に形成して設けたものである。こうすることにより、スライド駒が摺動ケースの摺動溝又は軸筒の窓部を摺動する際、スライド駒は平面上を摺動するので動きがスムーズとなる。
【００１１】
本発明の複合筆記具においては、軸筒内に収納される筆記体の種類や数を特定するものではない。例えば、シャープペンシルの筆記体が１つとボールペンの筆記体が２つ収納されたものでも、全てシャープペンシルの筆記体が２つ又は３つ、あるいはボールペンの筆記体が２つ又は３つ収納したものであっても良い。
【００１２】
【発明の実施の形態】
本発明の実施の形態を、図面を用いて説明する。尚、同部材、同箇所を示すものは同符号を付してある。図１〜図７に示す本実施の形態の複合筆記具１は、軸筒２が先端部を先すぼみ状に形成した前筒３と後筒４とで構成され、前筒３を後筒４に固着した接続筒５に螺着して連接して形成してある。便宜上、本実施の形態の複合筆記具１は、軸筒２内にシャープペンシルの筆記体６ａと、例えば、黒色の油性インキ（図示せず）を充填したボールペンの筆記体６ｂと、赤色の油性インキを充填したボールペンの筆記体（図示せず）の３つの筆記体を配設した複合筆記具としてある。
【００１３】
後筒４内には、図３に示すように、従来から知られた構造の、周方向に各々の筆記体６ａ、６ｂを収納するために区画され軸心方向に沿って延びた３つの摺動溝７を有した摺動ケース８が、該摺動ケース８の先端と前記接続筒５の後端との間に配設したコイルスプリング９により、後方に付勢された状態で後筒４内を摺動可能に挿着してある。摺動ケース８の後端には、該摺動ケース８を前進させるためのノック体１０が後筒４から外方に露出して連接してある。ノック体１０を押圧することにより摺動ケース８を前進させることができる。
【００１４】
筆記体６ａ、６ｂの後端には、従来から知られた構造の、摺動ケース８に形成された被係止部１１に係止するための係止部１２と、傾斜壁面で構成された第１解除突起１３と、第２解除突起１４を形成した摺動体１５ａ、１５ｂを挿着して連接してある。これらの筆記体６ａ、６ｂは、摺動体１５ａ、１５ｂを前記摺動ケース８の摺動溝７に位置させて、軸筒２内に摺動可能に収納してある。摺動体１５ａ、１５ｂの先端部にはコイルスプリング１６を配設してあり、コイルスプリング１６の先端を摺動ケース８の先端部の底壁部１７に当接することにより筆記体６ａ、６ｂを後方へ付勢している。
【００１５】
後筒４の摺動ケース８の各摺動溝７に対向した外周面には、図４に示すように、窓部１８を設けてあり、窓部１８の長手方向の対向した側壁の縁部１９、２０に、図５及び図６に示すような、窓部１８に没入する脚部２１を有したスライド駒２２が、脚部２１に形成した係合溝２３を係合し、摺動可能に配設してある。尚、符号の３９はクリップであり、４０は消しゴムである。
【００１６】
スライド駒２２の脚部２１は、窓部１８の横幅より広幅に形成した台座２４に、内側に撓み可能な突設片２５を対向して設けることにより形成してある。脚部２１の外形の幅は、窓部１８の横幅より若干広幅になるように形成してある。突設片２５を設けた反対側の台座２４の面には、突起２６、２７を設けた頭部材２８を、該突起２６、２７を台座２４に形成した貫通孔２９、３０に挿着して連接してある。台座２４及び頭部材２８は窓部１８より外方に露出して配設される。
【００１７】
スライド駒２２を窓部１８に配設するには、先ず、台座２４を窓部１８に位置させ、台座２４を窓部１８の外側から内側に向けて押圧する。すると、脚部２１の突設片２５は、外側側面の先端部分に面取り３１を施してあるので窓部１８の側壁の縁部１９，２０に衝接して内側に撓み、窓部１８内に没入し、係合溝２３に窓部１８の側壁の縁部１９，２０を係合して、台座２４を窓部１８に対して摺動可能に配設することができる。次に、窓部１８に摺動可能に配設した台座２４に、頭部材２８の突起２６、２７を貫通孔２９、３０に嵌着することにより頭部材２８を装着する。こうしてスライド駒２２を、窓部１８に対して摺動可能に配設をする。スライド駒２２を摺動操作しても、頭部材２８の突起２６、２７が突設片２５間に挿着してあるので、突設片２５間の幅が狭まることがなく、台座２４すなわちスライド駒２２は窓部１８から離脱することがない。
【００１８】
脚部２１の前筒３の先端開口部３ａ側の端面を、先端開口部３ａ側に向かうにしたがって軸径方向の長さが漸次短くなる傾斜面３２としてある。摺動体１５には、前記スライド駒２２の脚部２１が遊嵌する孔部３３を形成してあり、該孔部３３の前記傾斜面３２に対向した壁面を、前記傾斜面３２の傾斜方向と同様の被傾斜面３４としてある。これにより、スライド駒２２を前進させると摺動体１５は軸心に向かった方向に押圧され、摺動体１５の係止部１２が摺動ケース８の被係止部１１に確実に係止することができる。また、係止を解除する際に、摺動体１５を軸心から離間する方向に押圧して軸心から離間する方向に変位させる必要があるが、摺動体１５は孔部３３の被傾斜面３４が脚部２１の傾斜面３２に当接して摺動体１５を軸心から離間する方向に確実に変位させるので、確実に係止を解除することができる。
【００１９】
後筒４の外周面に設けた窓部１８は、外周面を平面３５に形成して設けてあり、スライド駒２２が窓部１８を摺動する際は、平面上を摺動するので動きがスムーズとなる。
【００２０】
孔部３３を有した摺動体１５の部分は、肉壁が薄くなり撓みやすくなっているので、図７に示すように、孔部３３の側面に補強バー３６を付設して撓まないようにしてある。
【００２１】
次に、軸筒２内に配設した筆記体６ａ、６ｂの筆記先端部３７ａ、３７ｂが、前筒３の先端開口部３ａから出没する際の動作について説明する。例えば、シャープペンシルの筆記体５ａの摺動体１５ａに対応したスライド駒２２を前筒３の先端開口部３ａ方向に前進すると、スライド駒２２の脚部２１が摺動体１５ａの孔部３３に遊嵌しているので、スライド駒２２に連動して摺動体１５ａ及び筆記体５ａも前進する。その際、摺動体１５は、孔部３３に形成した傾斜面３２とスライド駒２２の脚部２１に形成した傾斜面３２との関係により軸心に向かった方向に押圧された状態で前進するので、摺動体１５ａの後端部に形成した係止部１２ａが摺動ケース８に形成した被係止部１１に係止して、筆記体６ａの筆記先端部３７ａを前筒３の先端開口部３ａから突出させた状態で維持する。その際、摺動体１５ａは軸心に向かった方向に変位するが、スライド駒２２は脚部２１に形成した係合溝２３に後筒４の窓部１８の側壁の縁部１９、２０を係合しており、スライド駒２２は径方向に変位することはない。また、脚部２１が孔部３３より完全に離脱しないように、脚部２１の長さを設定してある。また、スライド駒２２の脚部２１に形成した傾斜面３２が摺動体１５ａの孔部３３の被傾斜面３４に当接して摺動体１５ａを前進させることにより、摺動体１５ａは常に軸心に向かった方向への押圧された状態となり、摺動体１５ａの係止部１２が摺動ケース８の被係止部１１に係止しやすくなっている。
【００２２】
筆記体６ａの筆記先端部３７ａから鉛芯（図示せず）を繰り出すには、ノック体１０をノックすることにより摺動ケース８が後筒４内を前後動し、従来の複合筆記具における繰り出し機構と同様のメカニズムにより繰り出すことができる。
【００２３】
次に、筆記体６ａの筆記先端部３７ａを前筒３の先端開口部３ａから没入させるには、例えば、ボールペンの筆記体６ｂの摺動体１５ｂに対応したスライド駒２２を前筒３の先端開口部３ａ方向に前進させる。被係止部１１に係止していたシャープペンシルの摺動体１５ａの係止部１２ａに、ボールペンの摺動体１５ｂの第１解除突起１３ｂが摺動体１５ａの係止部１２ａの近傍に設けた第２解除突起１４ａに衝接し、第１解除突起１３ｂと第２解除突起１４を構成する互いの傾斜壁面によりシャープペンシルの摺動体１５ａを径方向の外側に向かった方向に押すので係止部１２ａの被係止部１１への係止が解除される。シャープペンシルの筆記体６ａは配設されたコイルスプリング１６による後方への付勢力により後方へ押圧され、筆記先端部３７ａは前筒３の筆記先端開口部３ａ内に没入する。その際、摺動体１５ａの孔部３３にスライド駒２２の脚部２１が遊嵌しているので、摺動体１５ａの後方への移動に連動してスライド駒２２も後方へ移動し、元の位置に復帰する。
【００２４】
さらにボールペンの摺動体１５ｂを前進させると、係止部１２ｂが被係止部１１に係止してボールペンの筆記体の６ｂの筆記先端部３７ｂが前筒３の先端開口部３ａから突出し、その状態を維持する。筆記先端部３７ｂを前筒３の先端開口部３ａに没入させるには、シャープペンシルの筆記体６ａの摺動体１５ａに対応したスライド駒２２や他のスライド駒２２を前筒３の先端開口部３ａ方向に前進させる。
【００２５】
【発明の効果】
本発明の複合筆記具は前述したような構造なので、従来のような摺動体を前進させるための隆起部を摺動体に設けることなく、摺動体を前進させて摺動体の係止部を摺動ケースの被係止部に係止させることが可能な複合筆記具を得ることができ、軸筒の外周面から外方に大きく突出した隆起部分がないために、複合筆記具の外観形状がスッキリしたものになった。
【図面の簡単な説明】
【図１】本実施の形態における複合筆記具を示す、要部を断面した縦断面図である。
【図２】図１において、筆記先端部を突出した状態を示す縦断面図である。
【図３】図１における、Ｉ−Ｉ線部分の端面図である。
【図４】図１における、前筒と後筒とからなる軸筒の、側面図である。
【図５】スライド駒の拡大縦断面図である。
【図６】スライド駒の拡大横断面図である。
【図７】摺動体の要部の拡大縦断面図である。
【図８】従来の複合筆記具を示す、要部を断面した縦断面図である。
【図９】図８において、筆記先端部を突出した状態を示す縦断面図である。
【符号の説明】
１  複合筆記具
２  軸筒
３  前筒
３ａ  先端開口部
４  後筒
６ａ、６ｂ  筆記体
７  摺動溝
８  摺動ケース
１１  被係止部
１２ａ、１２ｂ  係止部
１３ａ、１３ｂ  第１解除突起
１４ａ、１４ｂ  第２解除突起
１５ａ、１５ｂ  摺動体
１８  窓部
１９、２０  側壁の縁部
２１  脚部
２２  スライド駒
２３  係合溝
３２  傾斜面
３３  孔部
３４  被傾斜面
３５  平面
３７  筆記先端部
【図１】
0003925908.tif 000002
【図２】
0003925908.tif 000003
【図３】
0003925908.tif 000004
【図４】
0003925908.tif 000005
【図５】
0003925908.tif 000006
【図６】
0003925908.tif 000007
【図７】
0003925908.tif 000008
【図８】
0003925908.tif 000009
【図９】
0003925908.tif 000010